(57)【要約】【課題】  本発明の目的は、メンテナンスに要する時間が短く、保守性に優れた料金所集計処理装置ハードディスクトレイ、および上記ハードディスクトレイを備えた料金所集計処理装置を提供することである。また、高速道路上などの振動する場所に配置されることを前提として、耐振動性に優れたハードディスクトレイ、および上記ハードディスクトレイを備えた料金所集計処理装置を提供することである。【解決手段】  料金所集計処理装置と、料金所集計処理装置に実装されるハードディスクトレイとの電気的な接続部にプラグインコネクタを適用する。また、ハードディスクトレイの筐体内にハードディスクを配設する際に、ハードディスクトレイの筐体とハードディスクとの間に振動吸収用の緩衝材を挟入する。さらに、料金所集計処理装置の運用中に、ハードディスクのバックアップを実施する。【選択図】  図２
2006318540.tif 000002
【特許請求の範囲】
【請求項１】
筐体と、
前記筐体の側面に配設されて、配線により前記筐体の内部に配設されるハードディスクと電気的に接続される脱着式コネクタの一方と
を具備し、
前記脱着式コネクタの一方が、外部機器に配設される前記脱着式コネクタの他方と接続されることにより、前記ハードディスクが前記脱着式コネクタを介して前記外部機器と電気的に接続される
ハードディスクトレイ。
【請求項２】
請求項１に記載のハードディスクトレイにおいて、
前記脱着式コネクタはプラグインコネクタであるハードディスクトレイ。
【請求項３】
請求項１または２に記載のハードディスクトレイにおいて、
前記ハードディスクは緩衝材を介して前記筐体の内部に配設される
ハードディスクトレイ。
【請求項４】
請求項３に記載のハードディスクトレイにおいて、
前記緩衝材はクロロプレンゴムを素材とする
ハードディスクトレイ。
【請求項５】
請求項１から４までのいずれか一項に記載のハードディスクトレイにおいて、
前記ハードディスクは複数であり、前記複数のハードディスクのそれぞれは前記筐体の内部に設置されるハードディスク取付け板の表裏面上に前記緩衝材を介して取付けられるハードディスクトレイ。
【請求項６】
ハードディスクと、
請求項１から５までのいずれか一項に記載のハードディスクトレイと
を備える料金所集計処理装置。
【請求項７】
請求項６に記載の料金所集計処理装置において、
前記ハードディスクトレイは、前記料金所集計処理装置の本体に対して、レールを介して抜き差しすることにより実装される料金所集計処理装置。
【請求項８】
請求項６または７に記載の料金所集計処理装置において、
さらに演算処理部を備え、
また、前記ハードディスクトレイに備わる前記ハードディスクは複数であり、前記演算処理部により、前記料金所集計処理装置の起動中に前記複数のハードディスクのうち任意のハードディスクのバックアップが実行される料金所集計処理装置。
【請求項９】
料金所ブースと、
請求項６から８までのいづれか一項に記載の料金所集計処理装置とを備える料金事務所と
を具備する料金収受システム。
【請求項１０】
筐体と、前記筐体の側面に配設されて、配線により前記筐体の内部に配設されるハードディスクと電気的に接続される脱着式コネクタの一方とを具備し、前記脱着式コネクタの一方が、外部機器に配設される前記脱着式コネクタの他方と接続されることにより、前記ハードディスクが前記脱着式コネクタを介して前記外部機器と電気的に接続されるハードディスクトレイと、メモリを有する演算処理部とを備える料金所集計処理装置の前記メモリに格納される料金所集計処理装置バックアッププログラムであって、
前記料金所集計処理装置が起動すると、前記演算処理部が前記メモリに格納されている前記料金所集計処理装置バックアッププログラムを読み込んで実行し、前記演算処理部は、前記複数のハードディスクの任意の１つに格納されているデータを読み込んで前記データを前記複数のハードディスクのうちのバックアップ用ハードディスクに格納する
料金所集計処理装置バックアッププログラム。
【請求項１１】
筐体と、前記筐体の側面に配設されて、配線により前記筐体の内部に配設されるハードディスクと電気的に接続される脱着式コネクタの一方とを具備し、前記脱着式コネクタの一方が、料金所集計処理装置の本体部に配設される前記脱着式コネクタの他方と接続されることにより、前記ハードディスクが前記脱着式コネクタを介して前記料金所集計処理装置と電気的に接続されるハードディスクトレイを具備する料金所集計処理装置に対する前記ハードディスクトレイの脱着方法であって、
前記ハードディスクトレイを前記料金所集計処理装置の本体部から相対的に移動させるステップと、
前記移動させるステップにより、前記ハードディスクトレイの前記筐体の前記側面に配設される前記脱着式コネクタの一方と前記料金所集計処理装置の本体部に配設される前記脱着式コネクタの他方とを物理的に脱着させるコネクタ脱着ステップと
を具備する料金所集計処理装置に対するハードディスクトレイの脱着方法。
【請求項１２】
請求項１１に記載の料金所集計処理装置に対するハードディスクトレイの脱着方法において、
前記ハードディスクは緩衝材を介して前記筐体の内部に配設される
料金所集計処理装置に対するハードディスクトレイの脱着方法。
【請求項１３】
請求項１１または１２に記載の料金所集計処理装置に対するハードディスクトレイの脱着方法において、
前記ハードディスクは複数であり、前記複数のハードディスクのそれぞれは前記筐体の内部に設置されるハードディスク取付け板の表裏面上に前記緩衝材を介して取付けられる
料金所集計処理装置に対するハードディスクトレイの脱着方法。
【請求項１４】
請求項１１から１３までのいずれか一項に記載の料金所集計処理装置に対するハードディスクトレイの脱着方法において、
前記移動させるステップは、前記ハードディスクトレイを、前記料金所集計処理装置の本体部に設けられている前記ハードディスクトレイ実装部に対してレールを介して抜き差しすることである
料金所集計処理装置に対するハードディスクトレイの脱着方法。
【発明の詳細な説明】
【技術分野】
【０００１】
本発明は、プラグインコネクタを介して料金所集計処理装置の本体部に設けられたハードディスクトレイ実装部に抜き差し可能な料金所集計処理装置ハードディスクトレイ、および上記ハードディスクトレイを備えた料金所集計処理装置に関する。
【背景技術】
【０００２】
有料道路の料金所ブースにおいてＥＴＣシステムの運用が開始されて以来、料金所ブースに設置されている各種機器の稼働停止時間、すなわち定期点検および故障復旧に要する保守作業時間および復旧作業時間を最小限に短縮することが求められている。
【０００３】
図１に、従来の料金所集計処理装置の概略構造を示す。従来の料金所集計処理装置１においては、ハードディスク（ＨＤＤ）ユニット８、制御ラック部９をはじめとする全ての構成機器が、前面パネル３、側面パネル４、背面パネル５、上面パネル６、および底部面から構成される集計処理装置筐体２内に格納される構成となっている。このため、ハードディスク（ＨＤＤ）ユニット８の保守作業時および故障による復旧作業時には、料金所集計処理装置１に対する通電供給の停止後に集計処理装置筐体２を分解して、筐体内に格納されているハードディスク（ＨＤＤ）ユニット８を取り出す必要があった。そして、取り出されたハードディスク（ＨＤＤ）ユニット８のカバーを外すことにより、ようやくハードディスクの交換が可能な状態となった。このため、ハードディスクの取り外しのみに３０分以上の時間を要していた。また、交換用のハーディスクを料金所集計処理装置１の筐体２内部に装着後、運転の再開前に、旧ハードディスクのデータを交換用ハーディスクに複写する必要があり、この複写にも時間を必要とする。このため、従来の料金所集計処理装置１における保守作業時および故障による復旧作業時には、２時間を超える時間を必要とした。
【０００４】
ＥＴＣシステムの運用においては、料金所集計処理装置１が料金所ブースを通過する車のカード情報の正／不正を判断し、その結果をブース収受機に送信する必要があり、手動での代替作業が出来ない。このため、従来のように料金所集計処理装置１を長時間停止することは許されない。
【０００５】
また、料金所集計処理装置１は、有料道路のインターチェンジに隣接した料金事務所のほか、高速道路上の高架橋上にある有人ブース内に設置されることもある。このため、料金所集計処理装置１には、振動環境に耐えられるだけの強い耐震構造が求められている。
【０００６】
上記の技術分野に関連して、特開１０−１３４２１９号公報に開示されている「有料道路の料金収受システム」では、 料金所に進入する車両の車種を判別する車種判別装置と、料金所に設けられ、収受員の操作入力に基づいて料金収受処理を行なう料金処理機と、料金処理機による処理データを集計処理すると共に、車種判別装置により自動判別された車種に基づく収受演算を行なって帳票を作成する集計処理装置とを具備したことを特徴とする有料道路の料金収受システムが提案されている。
【０００７】
【特許文献１】特開平１０−１３４２１９号公報
【発明の開示】
【発明が解決しようとする課題】
【０００８】
本発明の目的は、保守作業および故障による復旧作業に要する時間が短く、保守性に優れた料金所集計処理装置ハードディスクトレイ、および上記ハードディスクトレイを備えた料金所集計処理装置を提供することである。また、高速道路上などの振動する場所に配置されることを前提として、耐振動性に優れたハードディスクトレイ、および上記ハードディスクトレイを備えた料金所集計処理装置を提供することである。
【課題を解決するための手段】
【０００９】
以下に、［発明を実施するための最良の形態］で使用する括弧付き符号を用いて、課題を解決するための手段を説明する。これらの符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１０】
本発明のハードディスクトレイ（１０）は、筐体（１１）と、筐体の側面に配設されて、配線（１６）により筐体の内部に配設されるハードディスク（１２，１３）と電気的に接続される脱着式コネクタの一方（１４ａ、１５ａ）とを備え、脱着式コネクタの一方が、外部機器（５０）に配設される脱着式コネクタの他方（１４ｂ、１５ｂ）と接続されることにより、ハードディスクが脱着式コネクタを介して外部機器と電気的に接続される。
【００１１】
また、本発明のハードディスクトレイ（１０）の脱着式コネクタ（１４ａ、１４ｂ、１５ａ、１５ｂ）はプラグインコネクタである。
【００１２】
また、本発明のハードディスクトレイ（１０）のハードディスク（１２，１３）は緩衝材（２２）を介して筐体（１１）の内部に配設される。
【００１３】
また、本発明のハードディスクトレイ（１０）の緩衝材（２２）はクロロプレンゴムを素材とする。
【００１４】
また、本発明のハードディスクトレイ（１０）のハードディスク（１２，１３）は複数であり、複数のハードディスクのそれぞれは筐体（１１）の内部に設置されるハードディスク取付け板（１８）の表裏面上に緩衝材（２２）を介して取付けられる。
【００１５】
また、本発明の料金所集計処理装置（５０）は、ハードディスク（１２，１３）と、ハードディスクトレイ（１０）とを備える。
【００１６】
また、本発明の料金所集計処理装置（５０）のハードディスクトレイ（１０）は、料金所集計処理装置の本体に対して、レールを介して抜き差しすることにより実装される。
【００１７】
また、本発明の料金所集計処理装置（５０）は、さらに演算処理部（８１）を備え、また、ハードディスクトレイ（１０）に備わるハードディスク（１２，１３）は複数であり、演算処理部により、料金所集計処理装置の起動中に複数のハードディスクのうち任意のハードディスクのバックアップが実行される。
【００１８】
また、本発明の料金収受システム（１００）は、料金収受装置（１１１）と、領収書発行機（１１２）と、カード処理機（１１３）とを備えている料金所ブース（１１０）と、料金所ブースに面して敷設される車両進入路に備えられる信号灯（１３０）と、車両台数計測機（１４０）と、踏板（１５０）と、データ入力機（１２１）と、無停電電源装置（１２３）と、カード再発行機（１２４）と、請求項６から８までのいづれか一項に記載の料金所集計処理装置（５０）とを備えている料金事務所（１２０）とを有する。
【００１９】
また、本発明の料金所集計処理装置バックアッププログラム（８３）は、筐体（１１）と、筐体の側面に配設されて、配線（１６）により筐体の内部に配設されるハードディスク（１２，１３）と電気的に接続される脱着式コネクタの一方（１４ａ、１５ａ）とを有し、脱着式コネクタの一方が、外部機器（５０）に配設される脱着式コネクタの他方（１４ｂ、１５ｂ）と接続されることにより、ハードディスクが脱着式コネクタを介して外部機器と電気的に接続されるハードディスクトレイ（１０）と、メモリ（８２）を有する演算処理部（８１）とを備える料金所集計処理装置（５０）のメモリに格納される料金所集計処理装置バックアッププログラムであって、料金所集計処理装置が起動すると、演算処理部がメモリに格納されている料金所集計処理装置バックアッププログラムを読み込んで実行し、演算処理部は、複数のハードディスクの任意の１つに格納されているデータを読み込んでデータを複数のハードディスクのうちのバックアップ用ハードディスクに格納する。
【００２０】
また、本発明の料金所集計処理装置（５０）に対するハードディスクトレイ（１０）の脱着方法は、筐体（１１）と、筐体の側面に配設されて、配線（１６）により筐体の内部に配設されるハードディスク（１２，１３）と電気的に接続される脱着式コネクタの一方（１４ａ、１５ａ）とを備え、脱着式コネクタの一方が、料金所集計処理装置の本体部に配設される脱着式コネクタの他方（１４ｂ、１５ｂ）と接続されることにより、ハードディスクが脱着式コネクタを介して料金所集計処理装置と電気的に接続されるハードディスクトレイを有する料金所集計処理装置に対するハードディスクトレイの脱着方法であって、ハードディスクトレイを料金所集計処理装置の本体部から相対的に移動させるステップと、移動させるステップにより、ハードディスクトレイの筐体の側面に配設される脱着式コネクタの一方と料金所集計処理装置の本体部に配設される脱着式コネクタの他方とを物理的に脱着させるコネクタ脱着ステップとを備える。
【００２１】
また、本発明の料金所集計処理装置（５０）に対するハードディスクトレイ（１０）の脱着方法において、ハードディスク（１２，１３）は緩衝材（２２）を介して筐体（１１）の内部に配設される。
【００２２】
また、本発明の料金所集計処理装置（５０）に対するハードディスクトレイ（１０）の脱着方法において、ハードディスク（１２，１３）は複数であり、複数のハードディスクのそれぞれは筐体（１１）の内部に設置されるハードディスク取付け板（１８）の表裏面上に緩衝材（２２）を介して取付けられる。
【００２３】
また、本発明の料金所集計処理装置（５０）に対するハードディスクトレイ（１０）の脱着方法における移動させるステップは、ハードディスクトレイを、料金所集計処理装置（５０）の本体部に設けられているハードディスクトレイ実装部に対してレールを介して抜き差しすることである。
【発明の効果】
【００２４】
本発明により、保守作業および故障による復旧作業に要する時間が短く、保守性に優れた料金所集計処理装置ハードディスクトレイ、および上記ハードディスクトレイを備えた料金所集計処理装置を提供することができる。また、高速道路上などの振動する場所に配置されることを前提として、耐振動性に優れたハードディスクトレイ、および上記ハードディスクトレイを備えた料金所集計処理装置を提供することができる。
【発明を実施するための最良の形態】
【００２５】
添付図面を参照して、本発明による料金所集計処理装置ハードディスクトレイ、および上記ハードディスクトレイを備えた料金所集計処理装置を実施するための最良の形態を以下に説明する。
【００２６】
本発明の料金所集計処理装置ハードディスクトレイと、上記ハードディスクトレイが実装される料金所集計処理装置本体との電気的な接続部にプラグインコネクタを適用する。これにより、ハードディスクトレイを料金所集計処理装置本体から容易に抜き差し可能な構成とする。また、ハードディスクをハードディスクトレイの筐体内に配設する際に、ハードディスクとハードディスクトレイの筐体との間に振動吸収用の緩衝材を挟入する。さらに、本発明の料金所集計処理装置においては、運用中にハードディスクのバックアップを実施することが可能な動作原理とする。
【００２７】
このような構成および動作原理により、本発明の料金所集計処理装置の故障復旧作業および保守作業においては、料金所集計処理装置の筐体を分解することなく、料金所集計処理装置に実装されたハードディスクトレイを料金所集計処理装置の筐体から引き出して交換することができる。また、ハードディスクの交換時に改めて交換対象とされるハードディスクに格納されているデータをバックアップ用のハードディスクに複写する必要が無い。これにより、故障復旧時および保守時におけるハードディスク交換時間の短縮、および交換対象とされるハードディスクに格納されているデータのバックアップ時間の短縮を実現する。そして、料金所集計処理装置の保守性を飛躍的に向上させる。
【００２８】
（実施の形態１）
図２に、本発明の実施形態に係わるハードディスクトレイの概略構造を示す。本実施の形態のハードディスクトレイ１０は、料金所集計処理装置に実装されるものである。
【００２９】
本実施の形態のハードディスクトレイ１０は、ハードディスクトレイ筐体１１と、ハードディスクトレイ筐体１１内部に設置されるハードディスク取付け板１８と、ハードディスク取付け板１８を介してハードディスクトレイ筐体１１内部に格納されるハードディスクユニットＡ１２およびハードディスクユニットＢ１３とを備えている。ハードディスクトレイ筐体１１の実装背面上には、さらにプラグインコネクタＡ（プラグ側）１４ａおよびプラグインコネクタＢ（プラグ側）１５ａが配設される。そして、ハードディスクユニットＡ１２とプラグインコネクタＡ（プラグ側）１４ａ、およびハードディスクユニットＢ１３とプラグインコネクタＢ（プラグ側）１５ａとは、それぞれ配線１６により電気的に接続される。
【００３０】
プラグインコネクタＡ（プラグ側）１４ａおよびプラグインコネクタＢ（プラグ側）１５ａと、料金所集計処理装置５０本体筐体上の上記コネクタそれぞれに対応する位置に配設されるプラグインコネクタＡ（レセプタクル側）１４ｂおよびプラグインコネクタＢ（レセプタクル側）１５ｂとが接続することにより、ハードディスクトレイ１０に格納されるハードディスクユニットＡ１２およびハードディスクユニットＢ１３と料金所集計処理装置５０本体とは電気的に接続される。具体的には、本実施の形態に係わるハードディスクトレイ１０は、料金所集計処理装置５０本体に実装される際に、料金所集計処理装置５０本体に形成されているハードディスクトレイ１０実装部の底面に敷設されているレール上に載置される。そして、ハードディスクトレイ１０は、上記レールに沿って料金所集計処理装置５０本体のハードディスクトレイ１０実装部内部に挿入される。ハードディスクトレイ筐体１１の実装背面上には、プラグインコネクタＡ（プラグ側）１４ａおよびプラグインコネクタＢ（プラグ側）１５ａが配設されており、ハードディスクトレイ筐体１１の実装背面が料金所集計処理装置５０本体に形成されているハードディスクトレイ１０実装部の対向面に到達すると、上記プラグインコネクタＡ（プラグ側）１４ａおよびプラグインコネクタＢ（プラグ側）１５ａが、対向面上の上記コネクタそれぞれに対応する位置に配設されるプラグインコネクタＡ（レセプタクル側）１４ｂおよびプラグインコネクタＢ（レセプタクル側）１５ｂと嵌合する。これにより、料金所集計処理装置５０本体側と、ハードディスクトレイ１０に格納されているハードディスクユニットＡ１２およびハードディスクユニットＢ１３とが電気的に接続される。
【００３１】
図３に、本実施の形態のハードディスクトレイ１０を、図２に示される断面Ａ−Ａで切断した断面形状を示す。本実施の形態に係わるハードディスクトレイ１０においては、筐体１１の中央部にハードディスク取付板１８が設置されている。そして、このハードディスク取付板１８の両面上にそれぞれハードディスク支持板１９が取付ネジＡ２０によって取り付けられる。ハードディスク支持板１９は、それぞれハードディスクユニットＡ１２およびハードディスクユニットＢ１３を挟み込んで支持するためのコの字形の形状を有している。このコの字形の形状部にハードディスクユニットＡ１２およびハードディスクユニットＢ１３がそれぞれ挟み込まれて取付ネジＢ２１により固定されることにより、ハードディスクユニットＡ１２およびハードディスクユニットＢ１３は筐体１１内に設置される。本実施の形態においては、ハードディスク取付板１８とハードディスク支持板１９との間にクロロプレンゴムを素材とする緩衝材２２が挟まれる。これにより、ハードディスクトレイ１０が加振された際に、当該緩衝材２２が振動を効率良く吸収することにより、ハードディスクユニットＡ１２およびハードディスクユニットＢ１３に加えられる振動レベルが低減される。緩衝材２２の素材としては、クロロプレンゴムに限らず、同等レベルの振動吸収効果のある素材であれば代替品となる。
【００３２】
本実施の形態のハードディスクトレイ１０においては、実装先となる料金所集計処理装置５０との電気的な接続部にプラグインコネクタを適用して、ハードディスクトレイ１０を料金所集計処理装置５０本体の実装部に対して容易に抜き差し可能な構成とする。また、ハードディスクユニットＡ１２およびハードディスクユニットＢ１３をハードディスクトレイ１０の筐体１１内に配設する際に、ハードディスクユニットＡ１２およびハードディスクユニットＢ１３それぞれとハードディスクトレイの筐体１１との間に振動吸収用の緩衝材２２を挟入する。
【００３３】
これにより、本発明のハードディスクトレイ１０において、格納されているハードディスクユニットＡ１２およびハードディスクユニットＢ１３を交換する際には、料金所集計処理装置５０の筐体を分解することなく、料金所集計処理装置５０の筐体から引き出し、取付ネジＢ２１を取り外すことのみにより、適宜ハードディスクユニットＡ１２およびハードディスクユニットＢ１３を交換することが可能となる。そして、故障復旧時および保守時におけるハードディスク交換時間の短縮を実現する。また、ハードディスクユニットＡ１２およびハードディスクユニットＢ１３を備えたハードディスクトレイ１０の耐振動性を向上させる。
【００３４】
（実施の形態２）
図４に、本実施の形態に係わる料金所集計処理装置の外形を示す。本実施の形態に係わる料金所集計処理装置５０の筐体５１は、前面パネル５２、背面パネル５３、側面パネル５４、上面パネル５５、そして底面部から構成される。前面パネル５２は開閉式になっており、前面パネル５２上にはＬＥＤ確認用窓５６が設置されている。図５に、本実施の形態に係わる料金所集計処理装置５０の概略構成図を示す。図５に示されるように、前面パネル５２の扉開状態においては、料金所集計処理装置５０の前面には、ＦＤＤ５７、シャットダウンスイッチ５８、ＡＴＡカードスロット５９、ＤＩＰスイッチ操作用及びＬＥＤ・７セグＬＥＤ確認用穴６０、実施の形態１において説明されたハードディスクトレイ１０、および５インチベイ６１が備えられている。実施の形態１において説明されたハードディスクトレイ１０は、本実施の形態に係わる料金所集計処理装置５０の前面パネル５２を扉開した扉開状態５２Ａにおける左下部にその実装部が設けられている。ハードディスクトレイ１０は、側面構造５４Ａに示されるように、筐体５１の前面から装置５０の内部に向けて水平に挿入されて料金所集計処理装置５０本体に実装される。従って、本実施の形態に係わる料金所集計処理装置５０において実施の形態１のハードディスクトレイ１０に備えられるハードディスクユニットＡ１２およびハードディスクユニットＢ１３を交換する際には、前面パネル５２を開扉して、その左下に実装されているハードディスクトレイ１０を手前に引き出す。これにより、実施の形態１において説明したように、ハードディスクトレイ１０と料金所集計処理装置５０とに配置されて電気的な接続を維持していたプラグインコネクタのプラグ側とレセプタクル側とが脱離して双方の電気的な接続が遮断される。この時点で、ハードディスクユニットＡ１２およびハードディスクユニットＢ１３への電力の供給が停止されてハードディスクトレイ１０から取り外し可能な状態となる。
【００３５】
本実施の形態に係わる料金所集計処理装置５０においては、ハードディスクユニットＡ１２およびハードディスクユニットＢ１３を交換するのに、料金所集計処理装置５０を非通電状態とし、（１）料金所集計処理装置筐体５１の前面パネル５２を開扉して、その左下に実装されているハードディスクトレイ１０を手前に引き出す。（２）引き出されたハードディスクトレイ１０から取付ネジＢ２１を取り外すことにより、ハードディスクトレイ１０の筐体１１からハードディスクユニットＡ１２およびハードディスクユニットＢ１３を取り外す。（３）交換用のハードディスクユニットを再度ハードディスクユニットＡ１２およびハードディスクユニットＢ１３の取り付けられていた筐体１１の位置に取り付ける。（４）そして、ハードディスクの交換が終了したハードディスクトレイ１０を料金所集計処理装置筐体５１の前面左下に設けられている実装部に実装する。というスッテップを経るのみで、極めて短時間のうちに容易に交換することができる。
【００３６】
次に、図６に示される料金所集計処理装置全体ブロック図８０に基づいて本実施の形態に係わる料金所集計処理装置５０の動作原理について説明する。本実施の形態に係わる料金所集計処理装置５０は、ハードディスクユニットＡ１２およびハードディスクユニットＢ１３を備えたハードディスクトレイ１０の他に、ハードディスクトレイ１０と電気的に接続されたＣＰＵ基板８１を備えている。ＣＰＵ基板８１には、メモリ８２が実装されている。メモリ８２には、ハードディスクユニットＡ１２およびハードディスクユニットＢ１３に格納されているデータをバックアップすることを目的としたバックアッププログラム８３が予め格納されている。
【００３７】
料金所集計処理装置５０が起動すると、ＣＰＵ基板８１に搭載されている図示せぬＣＰＵが、メモリ８２内に格納されているバックアッププログラム８３を読み込んで実行する。通常、ハードディスクユニットＡ１２およびハードディスクユニットＢ１３のいずれか一方は、実際のデータ記録用に使用されて、他方はデータ記録用ハードディスクのバックアップ用として使用される。そして、バックアッププログラム８３が実行されると、図示せぬＣＰＵは、例えばデータ記録用に使用されているハードディスクユニットＡ１２に記録されているデータを、逐次、バックアップ用であるハードディスクユニットＢ１３に複写して保存する。このため、本実施の形態においては、ハードディスクの交換時に、交換対象となるハードディスクの複写を保守作業項目として行う必要がない。
【００３８】
本実施の形態においては、実施の形態１における作用効果の他に、運用中にハードディスクのバックアップを実施することのできる動作原理とすることにより、本発明の料金所集計処理装置５０の故障復旧時および保守時において、改めて交換対象とされるハードディスクに格納されているデータをバックアップ用のハードディスクに複写する必要が無い。そして、故障復旧時および保守時におけるハードディスク交換時間の短縮に加えて、さらに、交換対象とされるハードディスクに格納されているデータのバックアップ時間の短縮を実現する。そして、料金所集計処理装置５０の保守性を飛躍的に向上させる。
【００３９】
（実施の形態３）
図７に、本実施の形態に係わる料金収受システム１００の概略構成図を示す。本実施の形態の料金収受システム１００は、料金所ブース１１０と、料金事務所１２０と、料金所ブース１１０に面して敷設される車両進入路に備えられる信号灯１３０、車両台数計測機１４０、および踏板１５０とを備えている。料金所ブース１１０は、料金収受装置１１１、領収書発行機１１２、カード処理機１１３を備えている。料金事務所１２０は、データ入力機１２１、料金所集計処理装置５０、無停電電源装置１２３、カード再発行機１２４を備えている。
【００４０】
以下に、本実施の形態に係わる料金収受システム１００における動作原理について説明する。本実施の形態に係わる料金収受システム１００の料金所ブース１１０に面して敷設される車両進入路に車両が進入してくると、車両進入路に備えられる信号灯１３０により、当該車両前方の車両の有無に基づいて車両の進入可否が制御される。そして、信号灯１３０により当該車両へ、料金所ブースへの進入が許可されると、料金所ブース１１０において、収受員の操作入力による当該車両に対する料金収受作業が行われる。この際、料金所ブース１１０内に設置されている料金収受装置１１１、領収書発行機１１２、カード処理機１１３によるデータ処理が行われる。ブース収受装置１１１においては、受信した当該データに基づいて通行料の集計処理すると共に、図示せぬ車種判別装置と車両台数計測機１４０、および踏板１５０により自動判別された車種および台数に基づく収受演算、あるいは図示せぬＥＴＣ読み取り装置から送信されてくる料金収受データに基づく収受演算が行われる。ＥＴＣ読取り装置からのデータは、即時、料金事務所５０内に設置されて、実施の形態２に説明されている料金所集計処理装置５０へと送信される。料金所集計処理装置５０は、当該データの正／不正の判別を行い、その結果をブース収受装置１１１に返送する必要がある。このため、本実施の形態に係わる料金収受システム１００に備わる料金所集計処理装置５０は、故障による復旧作業や保守作業時に装置を長時間停止させることができない。
【００４１】
本実施の形態に係わる料金収受システム１００においては、料金事務所１２０に設置されて料金集計処理を行う料金所集計処理装置として実施の形態２に示した料金所集計処理装置５０を備えている。このため、本実施の形態においては、料金所集計処理装置５０の故障復旧時および保守時において、交換対象とされるハードディスクの交換を極めて短時間に実施することができる。また、改めて交換対象とされるハードディスクに格納されているデータをバックアップ用のハードディスクに複写する必要が無い。この結果、料金収受システム１００の保守性を飛躍的に向上させる。さらに、本実施の形態に係わる料金収受システム１００は、耐振動性に優れた料金所集計処理装置５０を備えることにより、高速道路上などの振動環境の厳しい場所にも設置することができる。
【図面の簡単な説明】
【００４２】
【図１】従来の料金所集計処理装置の概略構造を示す図である。
【図２】本実施の形態１に係わるハードディスクトレイの概略構造を示す図である。
【図３】本実施の形態１に係わるハードディスクトレイの概略構造を示す図である。
【図４】本実施の形態２に係わる料金所集計処理装置の概略構造を示す図である。
【図５】本実施の形態２に係わる料金所集計処理装置の概略構造を示す図である。
【図６】本実施の形態２に係わる料金所集計処理装置の全体ブロックを示す図である。
【図７】本実施の形態３に係わる料金収受システムのシステム構成を示す図である。
【符号の説明】
【００４３】
１…料金所集計処理装置
２…集計処理装置筐体
３…前面パネル
４…側面パネル
５…背面パネル
６…上面パネル
７…前面パネルシャッタ部
８…ハードディスク（ＨＤＤ）ユニット
９…制御ラック部
１０…ハードディスクトレイ
１１…ハードディスクトレイ筐体
１２…ハードディスクユニットＡ
１３…ハードディスクユニットＢ
１４ａ…プラグインコネクタＡ（プラグ側）
１４ｂ…プラグインコネクタＡ（レセプタクル側）
１５ａ…プラグインコネクタＢ（プラグ側）
１５ｂ…プラグインコネクタＢ（レセプタクル側）
１６…配線
１７…集計処理装置
１８…ハードディスク取付板
１９…ハードディスク支持板
２０…取付ネジＡ
２１…取付ネジＢ
２２…緩衝材
５０…料金所集計処理装置
５１…集計処理装置筐体
５２…前面パネル
５２Ａ…扉開状態
５３…背面パネル
５４…側面パネル
５４Ａ…側面構造
５５…上面パネル
５６…ＬＥＤ確認用窓
５７…フロッピー（登録商標）ディスクドライブ（ＦＤＤ）
５８…シャットダウンスイッチ
５９…ＡＴＡカードスロット
６０…ＤＩＰスイッチ操作用及びＬＥＤ・７セグＬＥＤ確認用穴
６１…５インチベイ
８０…集計処理装置全体ブロック図
８１…ＣＰＵ基板
８２…メモリ
８３…バックアッププログラム
１００…料金収受システム
１１０…料金所ブース
１１１…料金収受装置
１１２…領収書発行機
１１３…カード処理機
１２０…料金事務所
１２１…データ入力機
１２２…集計処理装置
１２３…無停電電源装置
１２４…カード再発行機
１３０…信号灯
１４０…車両台数計測機
１５０…踏板
【図１】
2006318540.tif 000003
【図２】
2006318540.tif 000004
【図３】
2006318540.tif 000005
【図４】
2006318540.tif 000006
【図５】
2006318540.tif 000007
【図６】
2006318540.tif 000008
【図７】
2006318540.tif 000009